(57)【要約】      （修正有）【課題】端末装置および基地局装置が互いに、効率的に通信をする方法、および、集積回路を提供する。【解決手段】端末装置は、ハンドオーバコマンド４０１が受信され、かつ、ハンドオーバコマンド４０１がターゲットプライマリーセルのためのランダムアクセスプロシージャがスキップされることを示すスキップ情報（rach-Skip）を含む場合、ターゲットプライマリーセルの下りリンクとの同期４０２が開始された後に、スキップ情報（rach-Skip）に含まれるターゲットＴＡ情報（targetTA）によって示されるＮＴＡの値をターゲットプライマリーＴＡＧ（Timing Advance Group）に対して適用し、且つ、ターゲットプライマリーＴＡＧに関連するＴＡ（Time alignment）タイマーをスタートする。【選択図】図４
2020025152.tif 000002
【特許請求の範囲】
【請求項１】
ハンドオーバコマンドを受信する受信部と、
前記ハンドオーバコマンドが受信され、かつ、前記ハンドオーバコマンドがターゲットプライマリーセルのためのランダムアクセスプロシージャがスキップされることを示すスキップ情報（rach-Skip）を含む場合、前記ターゲットプライマリーセルの下りリンクと
の同期が開始された後に、前記スキップ情報（rach-Skip）に含まれるターゲットＴＡ情
報（targetTA）によって示されるＮＴＡの値をターゲットプライマリーＴＡＧ（Timing Advance Group）に対して適用し、且つ、前記ターゲットプライマリーＴＡＧに関連するＴＡ（Time alignment）タイマーをスタートする上位層処理部と、を備える
端末装置。
【請求項２】
前記上位層処理部は、前記ターゲットＴＡ情報（targetTA）を含む前記スキップ情報（rach-Skip）がリリースされたとしても、前記ＮＴＡの値をストアまたは保持する
請求項１の端末装置。
【請求項３】
ターゲットプライマリーセルのためのランダムアクセスプロシージャがスキップされることを示すスキップ情報（rach-Skip）を含むハンドオーバコマンドを受信する受信部と
、
前記スキップ情報（rach-Skip）が設定されている場合、ＴＡ（Time alignment）タイ
マーがランニングしているとみなす上位層処理部と、を備える
端末装置。
【請求項４】
ターゲットプライマリーセルのためのランダムアクセスプロシージャがスキップされることを示すスキップ情報（rach-Skip）を含むハンドオーバコマンドを受信する受信部と
、
上りリンクの送信を実行する送信部と、を備え、
前記送信部は、前記スキップ情報（rach-Skip）が設定されている場合を除いて、プラ
イマリーＴＡＧ（Timing Advance Group）に関連するＴＡ（Time alignment）タイマーがランニングしていない時、プライマリーセルにおけるランダムアクセスプリアンブルの送信を除いて、何れのサービングセルにおいても上りリンク送信を実行せず、
前記プライマリーセルは、前記ターゲットプライマリーセルを含む
端末装置。
【請求項５】
端末装置に用いられる通信方法であって、
ハンドオーバコマンドを受信し、
前記ハンドオーバコマンドが受信され、かつ、前記ハンドオーバコマンドがターゲットプライマリーセルのためのランダムアクセスプロシージャがスキップされることを示すスキップ情報（rach-Skip）を含む場合、前記ターゲットプライマリーセルの下りリンクと
の同期が開始された後に、前記スキップ情報（rach-Skip）に含まれるターゲットＴＡ情
報（targetTA）によって示されるＮＴＡの値をターゲットプライマリーＴＡＧ（Timing Advance Group）に対して適用し、且つ、前記ターゲットプライマリーＴＡＧに関連するＴＡ（Time alignment）タイマーをスタートする
通信方法。
【請求項６】
前記ターゲットＴＡ情報（targetTA）を含む前記スキップ情報（rach-Skip）がリリー
スされたとしても、前記ＮＴＡの値をストアまたは保持する
請求項５の通信方法。
【請求項７】
端末装置に用いられる通信方法であって、
ターゲットプライマリーセルのためのランダムアクセスプロシージャがスキップされることを示すスキップ情報（rach-Skip）を含むハンドオーバコマンドを受信し、
前記スキップ情報（rach-Skip）が設定されている場合、ＴＡ（Time alignment）タイ
マーがランニングしているとみなす
通信方法。
【請求項８】
端末装置に用いられる通信方法であって、
ターゲットプライマリーセルのためのランダムアクセスプロシージャがスキップされることを示すスキップ情報（rach-Skip）を含むハンドオーバコマンドを受信し、
上りリンクの送信を実行し、
前記スキップ情報（rach-Skip）が設定されている場合を除いて、プライマリーＴＡＧ
（Timing Advance Group）に関連するＴＡ（Time alignment）タイマーがランニングしていない時、プライマリーセルにおけるランダムアクセスプリアンブルの送信を除いて、何れのサービングセルにおいても上りリンク送信を実行せず、
前記プライマリーセルは、前記ターゲットプライマリーセルを含む
通信方法。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE：登録商標）」、または、「Evolved Universal Terrestrial Radio Access : EUTRA」と称する。）が、第三世代パートナーシッププロジェクト（3rd Generation Partnership Project: 3GPP）において検討されている（非特許文献１、２、３、４、５
）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置
するセルラー通信システムである。単一の基地局装置は複数のセルを管理してもよい。
【０００３】
ハンドオーバの遅延を減らすために、（ｉ）ランダムアクセスプロシージャを行わずに、端末装置がソースセルからターゲットセルにハンドオーバすること、および、（ｉｉ）ハンドオーバコマンド応答（RRC Connection Reconfiguration Complete message）の送
信のための上りリンクグラントがハンドオーバコマンドによって事前に割り当てられることが検討されている（非特許文献６）。
【先行技術文献】
【非特許文献】
【０００４】
【非特許文献１】"3GPP TS 36.211 V13.0.0 (2015-12)", 6th January, 2016.
【非特許文献２】"3GPP TS 36.212 V13.0.0 (2015-12)", 6th January, 2016.
【非特許文献３】"3GPP TS 36.213 V13.0.0 (2015-12)", 6th January, 2016.
【非特許文献４】"3GPP TS 36.321 V13.0.0 (2015-12)", 14th January, 2016.
【非特許文献５】"3GPP TS 36.331 V13.0.0 (2015-12)", 7th January, 2016.
【非特許文献６】"3GPP TR 36.881 v0.5.0 (2015-11)", R2-157181, 4th December 2015.
【発明の概要】
【発明が解決しようとする課題】
【０００５】
本発明は、基地局装置との通信を効率的に実行することができる端末装置、該端末装置と通信する基地局装置、該端末装置に用いられる通信方法、該基地局装置に用いられる通信方法、該端末装置に実装される集積回路、該基地局装置に実装される集積回路を提供する。
【課題を解決するための手段】
【０００６】
（１）本発明の態様は、以下のような手段を講じた。すなわち、本発明の第１の態様は、端末装置であって、端末装置であって、ハンドオーバコマンドを受信する受信部１０と、前記ハンドオーバコマンドが受信され、かつ、前記ハンドオーバコマンドがターゲットプライマリーセルのためのランダムアクセスプロシージャがスキップされることを示すスキップ情報（rach-Skip）を含む場合、前記ターゲットプライマリーセルの下りリンクと
の同期が開始された後に、前記スキップ情報（rach-Skip）に含まれるターゲットＴＡ情
報（targetTA）によって示されるＮＴＡの値をターゲットプライマリーＴＡＧ（Timing Advance Group）に対して適用し、且つ、前記ターゲットプライマリーＴＡＧに関連するＴＡ（Time alignment）タイマーをスタートする上位層処理部１４と、を備える。
【０００７】
（２）本発明の第２の態様は、端末装置１であって、ターゲットプライマリーセルのた
めのランダムアクセスプロシージャがスキップされることを示すスキップ情報（rach-Skip）を含むハンドオーバコマンドを受信する受信部１０と、前記スキップ情報（rach-Skip）が設定されている場合、ＴＡ（Time alignment）タイマーがランニングしているとみなす上位層処理部１４と、を備える。
【０００８】
（３）本発明の第３の態様は、端末装置１であって、ターゲットプライマリーセルのためのランダムアクセスプロシージャがスキップされることを示すスキップ情報（rach-Skip）を含むハンドオーバコマンドを受信する受信部１０と、上りリンクの送信を実行する
送信部１０と、を備え、前記送信部１０は、前記スキップ情報（rach-Skip）が設定され
ている場合を除いて、プライマリーＴＡＧ（Timing Advance Group）に関連するＴＡ（Time alignment）タイマーがランニングしていない時、プライマリーセルにおけるランダムアクセスプリアンブルの送信を除いて、何れのサービングセルにおいても上りリンク送信を実行せず、前記プライマリーセルは、前記ターゲットプライマリーセルを含む。
【０００９】
（４）本発明の第４の態様は、端末装置１に用いられる通信方法であって、ハンドオーバコマンドを受信し、前記ハンドオーバコマンドが受信され、かつ、前記ハンドオーバコマンドがターゲットプライマリーセルのためのランダムアクセスプロシージャがスキップされることを示すスキップ情報（rach-Skip）を含む場合、前記ターゲットプライマリー
セルの下りリンクとの同期が開始された後に、前記スキップ情報（rach-Skip）に含まれ
るターゲットＴＡ情報（targetTA）によって示されるＮＴＡの値をターゲットプライマリーＴＡＧ（Timing Advance Group）に対して適用し、且つ、前記ターゲットプライマリーＴＡＧに関連するＴＡ（Time alignment）タイマーをスタートする。
【００１０】
（５）本発明の第５の態様は、端末装置１に用いられる通信方法であって、ターゲットプライマリーセルのためのランダムアクセスプロシージャがスキップされることを示すスキップ情報（rach-Skip）を含むハンドオーバコマンドを受信し、前記スキップ情報（rach-Skip）が設定されている場合、ＴＡ（Time alignment）タイマーがランニングしているとみなす。
【００１１】
（６）本発明の第６の態様は、端末装置１に用いられる通信方法であって、ターゲットプライマリーセルのためのランダムアクセスプロシージャがスキップされることを示すスキップ情報（rach-Skip）を含むハンドオーバコマンドを受信し、上りリンクの送信を実
行し、前記スキップ情報（rach-Skip）が設定されている場合を除いて、プライマリーＴ
ＡＧ（Timing Advance Group）に関連するＴＡ（Time alignment）タイマーがランニングしていない時、プライマリーセルにおけるランダムアクセスプリアンブルの送信を除いて、何れのサービングセルにおいても上りリンク送信を実行せず、前記プライマリーセルは、前記ターゲットプライマリーセルを含む。
【発明の効果】
【００１２】
この発明によれば、端末装置および基地局装置は互いに、効率的に通信をすることができる。
【図面の簡単な説明】
【００１３】
【図１】本実施形態の無線通信システムの概念図である。
【図２】本実施形態の無線フレームの概略構成を示す図である。
【図３】本実施形態の上りリンクスロットの概略構成を示す図である。
【図４】本実施形態におけるハンドオーバプロシージャの一例を示す図である。
【図５】本実施形態における端末装置１のＭＡＣエンティティにおけるＭＡＣの処理の一例を示す図である。
【図６】本実施形態における端末装置１のＲＲＣの処理の一例を示す図である。
【図７】本実施形態におけるＴＡタイマーに関連するＭＡＣの処理の一例を示す図である。
【図８】本実施形態におけるＭＡＣにおけるＴＡタイマーに関連するＭＡＣの処理の別の一例を示す図である。
【図９】本実施形態の端末装置１の構成を示す概略ブロック図である。
【図１０】本実施形態のターゲット基地局装置３Ｂの構成を示す概略ブロック図である。
【発明を実施するための形態】
【００１４】
以下、本発明の実施形態について説明する。
【００１５】
図１は、本実施形態の無線通信システムの概念図である。図１において、無線通信システムは、端末装置１、および、基地局装置３を具備する。基地局装置３は、ソース基地局装置３Ａ、ターゲット基地局装置３Ｂ、および、ＭＭＥ（Mobility Management Entity）／ＧＷ（Gateway）を含む。Ｕｕは端末装置１と基地局装置３の間の無線アクセスリンク
である。Ｕｕは、端末装置１から基地局装置３への上りリンク、および、基地局装置３から端末装置１への下りリンクを含む。Ｘ２は、ソース基地局装置３Ａとターゲット基地局装置３Ｂの間のバックホールリンクである。Ｓ１は、ソース基地局装置３Ａ／ターゲット基地局装置３ＢとＭＭＥ／ＧＷの間のバックホールリンクである。
【００１６】
端末装置１は、ソース基地局装置３Ａからターゲット基地局装置３Ｂにハンドオーバしてもよい。端末装置１は、ソースセルからターゲットセルにハンドオーバしてもよい。ソースセルは、ソース基地局装置３Ａによって管理されてもよい。ターゲットセルは、ターゲット基地局装置３Ｂによって管理されてもよい。ソース基地局装置３Ａ、および、ターゲット基地局装置３Ｂは、同じ装置であってもよい。すなわち、端末装置１は、ソース基地局装置３Ａが管理するソースセルから、当該ソース基地局装置３Ａが管理するターゲットセルにハンドオーバしてもよい。ソースセルは、ソースプライマリーセルとも称する。ターゲットセルを、ターゲットプライマリーセルとも称する。
【００１７】
以下、キャリアアグリゲーションについて説明する。
【００１８】
本実施形態では、端末装置１は、複数のサービングセルが設定される。端末装置１が複数のサービングセルを介して通信する技術をセルアグリゲーション、またはキャリアアグリゲーションと称する。キャリアアグリゲーションにおいて、設定された複数のサービングセルを集約されたサービングセルとも称する。
【００１９】
本実施形態の無線通信システムは、ＴＤＤ（Time Division Duplex）および／またはＦＤＤ（Frequency Division Duplex）が適用される。セルアグリゲーションの場合には、
複数のサービングセルの全てに対してＴＤＤが適用されてもよい。また、セルアグリゲーションの場合には、ＴＤＤが適用されるサービングセルとＦＤＤが適用されるサービングセルが集約されてもよい。本実施形態において、ＴＤＤが適用されるサービングセルをＴＤＤサービングセルとも称する。
【００２０】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンド
オーバプロシージャにおいてプライマリーセルと指示されたセルである。ＲＲＣ（Radio Resource Control）コネクションが確立された時点、または、後に、セカンダリーセルが設定されてもよい。
【００２１】
プライマリーセルは、ソースプライマリーセル、および、ターゲットプライマリーセルを含んでもよい。
【００２２】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２３】
端末装置１は、集約される複数のサービングセル（コンポーネントキャリア）において、複数の物理チャネル／複数の物理シグナルの同時送信を行うことができる。端末装置１は、集約される複数のサービングセル（コンポーネントキャリア）において、複数の物理チャネル／複数の物理シグナルの同時受信を行うことができる。
【００２４】
端末装置に対してＤＣが設定されている場合、ＭＣＧ（Master Cell Group）は全ての
サービングセルのサブセットであり、且つ、ＳＣＧ（Secondary Cell Group）はＭＣＧの一部ではないサービングセルのサブセットである。端末装置に対してＤＣが設定されていない場合、ＭＣＧは全てのサービングセルを含む。ＭＣＧは、プライマリーセル、および、０または０より多いセカンダリーセルを含む。ＳＣＧは、プライマリーセカンダリーセル、および、０または０より多いセカンダリーセルを含む。
【００２５】
ＭＣＧは、１つのプライマリーＴＡＧ、および、０または０より多いセカンダリーＴＡＧを含んでもよい。ＳＣＧは、１つのプライマリーＴＡＧ、および、０または０より多いセカンダリーＴＡＧを含んでもよい。
【００２６】
ＴＡＧ（Timing Advance Group）は、ＲＲＣ（Radio Resource Control）によって設定されるサービングセルのグループである。同じＴＡＧに含まれるサービングセルに対して、同じタイミングアドバンスの値が適用される。タイミングアドバンスは、サービングセルにおけるＰＵＳＣＨ／ＰＵＣＣＨ／ＳＲＳ／ＤＭＲＳの送信タイミングを調整するために用いられる。ＭＣＧのプライマリーＴＡＧは、プライマリーセル、および、０または０より多いセカンダリーセルを含んでもよい。ＳＣＧのプライマリーＴＡＧは、プライマリーセカンダリーセル、および、０または０より多いセカンダリーセルを含んでもよい。セカンダリーＴＡＧは、１または１より多いセカンダリーセルを含んでもよい。セカンダリーＴＡＧは、プライマリーセル、および、プリマリーセカンダリーセルを含まない。
【００２７】
図２は、本実施形態の無線フレームの概略構成を示す図である。図２において、横軸は時間軸である。
【００２８】
時間領域における種々のフィールドのサイズは、時間ユニットTs=1/(15000・2048)秒の数によって表現される。無線フレームの長さは、Tf=307200・Ts=10ms (ミリ秒)である。
それぞれの無線フレームは、時間領域において連続する１０のサブフレームを含む。それぞれのサブフレームの長さは、Tsubframe=30720・Ts=1msである。それぞれのサブフレー
ムｉは、時間領域において連続する２つのスロットを含む。該時間領域において連続する２つのスロットは、無線フレーム内のスロット番号nsが２ｉのスロット、および、無線フレーム内のスロット番号nsが２ｉ＋１のスロットである。それぞれのスロットの長さは、Tslot=153600・ns=0.5msである。それぞれの無線フレームは、時間領域において連続する１０のサブフレームを含む。それぞれの無線フレームは、時間領域において連続する２０のスロット（ns=0,1,…,19）を含む。サブフレームを、ＴＴＩ（Transmission Time Interval）とも称する。
【００２９】
以下、本実施形態のスロットの構成について説明する。図３は、本実施形態の上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡ（Single Carrier-Frequency Division Multiple Access
）シンボル番号／インデックスであり、ｋはサブキャリア番号／インデックスである。
【００３０】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００３１】
リソースグリッドは、アンテナポート毎に定義される。本実施形態では、１つのアンテナポートに対する説明を行う。複数のアンテナポートのそれぞれに対して、本実施形態が適用されてもよい。
【００３２】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。ノーマルＣＰ（normal Cyclic Prefix）に対して、NULsymbは７で
ある。拡張ＣＰ（extended Cyclic Prefix）に対して、NULsymbは６である。
【００３３】
上りリンクスロットは、周波数領域において、複数のサブキャリアｋ（k=0,1,…,NULRB
×NRBsc)を含む。NULRBは、NRBscの倍数によって表現される、サービングセルに対する
上りリンク帯域幅設定である。NRBscは、サブキャリアの数によって表現される、周波数
領域における（物理）リソースブロックサイズである。本実施形態において、サブキャリア間隔Δfは１５ｋＨｚであり、NRBscは１２サブキャリアである。すなわち、本実施形態においてNRBscは、１８０ｋＨｚである。
【００３４】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB -1）が付けられる。
【００３５】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される
点を除いて同じであるため、下りリンクのスロットの構成の説明は省略する。
【００３６】
本実施形態の物理チャネルおよび物理シグナルについて説明する。
【００３７】
図１において、端末装置１から基地局装置３への上りリンクの無線通信では、以下の上りリンク物理チャネルが用いられる。上りリンク物理チャネルは、上位層から出力された情報を送信するために、物理層によって使用される。
・ＰＵＣＣＨ（Physical Uplink Control Channel）
・ＰＵＳＣＨ（Physical Uplink Shared Channel）
・ＰＲＡＣＨ（Physical Random Access Channel）
ＰＵＣＣＨは、上りリンク制御情報（Uplink Control Information: UCI）を送信する
ために用いられる。上りリンク制御情報は、下りリンクのチャネル状態情報（Channel State Information: CSI）、初期送信のためのＰＵＳＣＨ（Uplink-Shared Channel: UL-SCH）リソースを要求するために用いられるスケジューリングリクエスト（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、ＡＣＫ（acknowledgement）またはＮＡＣＫ（negative-acknowledgement）を示す。ＨＡＲＱ−ＡＣＫを、ＨＡＲＱフィードバック、ＨＡＲ
Ｑ情報、ＨＡＲＱ制御情報、および、ＡＣＫ／ＮＡＣＫとも称する。
【００３８】
ＰＵＳＣＨは、上りリンクデータ（Uplink-Shared Channel: UL-SCH）を送信するため
に用いられる。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００３９】
ＰＲＡＣＨは、ランダムアクセスプリアンブル（ランダムアクセスメッセージ１）を送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整
）、およびＰＵＳＣＨ（ＵＬ−ＳＣＨ）リソースの要求を示すために用いられる。
【００４０】
図１において、上りリンクの無線通信では、以下の上りリンク物理シグナルが用いられる。上りリンク物理シグナルは、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（Demodulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００４１】
ＳＲＳは、ＰＵＳＣＨまたはＰＵＣＣＨの送信に関連しない。基地局装置３は、チャネル状態の測定のためにＳＲＳを用いてもよい。ＳＲＳは、上りリンクサブフレームにおける最後のＳＣ−ＦＤＭＡシンボル、または、ＵｐＰＴＳにおけるＳＣ−ＦＤＭＡシンボルにおいて送信される。
【００４２】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
ＰＢＣＨは、端末装置１で共通に用いられるマスターインフォメーションブロック（Master Information Block: MIB, Broadcast Channel: BCH）を報知するために用いられる
。ＭＩＢは、４０ms間隔で送信され、ＭＩＢは１０ｍｓ周期で繰り返し送信される。具体的には、SFN mod 4 = 0を満たす無線フレームにおけるサブフレーム０においてＭＩＢの
初期送信が行なわれ、他の全ての無線フレームにおけるサブフレーム０においてＭＩＢの再送信（repetition）が行なわれる。ＳＦＮ（system frame number）は無線フレームの
番号である。ＭＩＢはシステム情報である。例えば、ＭＩＢは、ＳＦＮを示す情報を含む。
【００４３】
ＰＣＦＩＣＨは、ＰＤＣＣＨの送信に用いられる領域（ＯＦＤＭシンボル）を指示する情報を送信するために用いられる。
【００４４】
ＰＨＩＣＨは、基地局装置３が受信した上りリンクデータ（Uplink Shared Channel: UL-SCH）に対するＨＡＲＱインディケータを送信するために用いられる。ＨＡＲＱインデ
ィケータは、ＨＡＲＱ−ＡＣＫを示す。
【００４５】
ＰＤＣＣＨおよびＥＰＤＣＣＨは、下りリンク制御情報（Downlink Control Information: DCI）を送信するために用いられる。下りリンク制御情報を、ＤＣＩフォーマットと
も称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。
【００４６】
１つの下りリンクグラントは、１つのサービングセル内の１つのＰＤＳＣＨのスケジューリングに用いられる。下りリンクグラントは、該下りリンクグラントが送信されたサブフレームと同じサブフレーム内のＰＤＳＣＨのスケジューリングに用いられる。
【００４７】
１つの上りリンクグラントは、１つのサービングセル内の１つのＰＵＳＣＨのスケジューリングに用いられる。上りリンクグラントは、該上りリンクグラントが送信されたサブフレームより４つ以上後のサブフレーム内のＰＵＳＣＨのスケジューリングに用いられる。
【００４８】
ＰＤＣＣＨで送信される上りリンクグラントはＤＣＩフォーマット０を含む。ＤＣＩフォーマット０に対応するＰＵＳＣＨの送信方式は、シングルアンテナポートである。端末装置１は、ＤＣＩフォーマット０に対応するＰＵＳＣＨ送信のためにシングルアンテナポート送信方式を用いる。シングルアンテナポート送信方式が適用されるＰＵＳＣＨは、１つのコードワード（１つのトランスポートブロック）の伝送に用いられる。
【００４９】
ＰＤＣＣＨで送信される上りリンクグラントは、ＤＣＩフォーマット４を含む。ＤＣＩフォーマット４に対応するＰＵＳＣＨの送信方式は、閉ループ空間多重である。端末装置１は、ＤＣＩフォーマット４に対応するＰＵＳＣＨ送信のために閉ループ空間多重送信方式を用いる。閉ループ空間多重送信方式が適用されるＰＵＳＣＨは、２つまでのコードワード（２つまでのトランスポートブロック）の伝送に用いられる。
【００５０】
下りリンクグラント、または、上りリンクグラントに付加されるＣＲＣパリティビットは、Ｃ−ＲＮＴＩ（Cell-Radio Network Temporary Identifier）、Ｔｅｍｐｏｒａｒｙ
Ｃ−ＲＮＴＩ、または、ＳＰＳ（Semi Persistent Scheduling）Ｃ−ＲＮＴＩCell-Radio Network Temporary Identifier）によってスクランブルされる。Ｃ−ＲＮＴＩおよび
ＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセスプロシージャの間に用いられる。ＲＮＴＩによってスクランブルされたＣＲＣパリティビットが付加された上りリンクグラントを、ＲＮＴＩに対する上りリンクグラント、ＲＮＴＩに対応する上りリンクグラントとも称する。ＲＮＴＩによってスクランブルされたＣＲＣパリティビットが付加された上りリンクグラントを含むＰＤＣＣＨを、ＲＮＴＩに対するＰＤＣＣＨ、ＲＮＴＩに対応するＰＤＣＣＨ、ＲＮＴＩ宛てのＰＤＣＣＨとも称する。
【００５１】
Ｃ−ＲＮＴＩは、１つのサブフレームにおけるＰＤＳＣＨまたはＰＵＳＣＨを制御するために用いられる。端末装置１は、Ｃ−ＲＮＴＩによってスクランブルされたＣＲＣパリティビットが付加される上りリンクグラントを含むＰＤＣＣＨの検出に基づいて、トランスポートブロックを含むＰＵＳＣＨを送信してもよい。該トランスポートブロックの再送信は、Ｃ−ＲＮＴＩによってスクランブルされたＣＲＣパリティビットが付加される上りリンクグラントを含むＰＤＣＣＨによって指示されてもよい。
【００５２】
ＳＰＳ  Ｃ−ＲＮＴＩは、ＰＤＳＣＨまたはＰＵＳＣＨのリソースを周期的に割り当てるために用いられる。端末装置１は、ＳＰＳ  Ｃ−ＲＮＴＩによってスクランブルされたＣＲＣパリティビットが付加される上りリンクグラントを含むＰＤＣＣＨの検出し、該上りリンクグラントがＳＰＳ活性化コマンドとして有効であると判断された場合、該上りリンクグラントを設定された上りリンクグラント（configured uplink grant）としてスト
アする。端末装置１のＭＡＣ層は、該設定された上りリンクグラントが周期的に発生するとみなす。該設定された上りリンクグラントが発生するとみなされるサブフレームは、第１の周期と第１のオフセットによって与えられる。端末装置１は、基地局装置３から、該第１の周期を示す情報を受信する。該周期的に割り当てられるＰＵＳＣＨで送信されたトランスポートブロックの再送信は、ＳＰＳ  Ｃ−ＲＮＴＩによってスクランブルされたＣＲＣパリティビットが付加される上りリンクグラントによって指示される。該設定された上りリンクグラントを、ＭＡＣ（Medium Access Control）によって設定された上りリン
クグラント、または、第１の設定された上りリンクグラントとも称する。
【００５３】
ランダムアクセスレスポンスは、ＲＡＲグラント（Random Access Response grant）を含む。ＲＡＲグラントは、ＰＤＳＣＨで送信される上りリンクグラントである。端末装置１は、ＲＡＲグラントに対応するＰＵＳＣＨを用いてメッセージ３を送信してもよい。端末装置１は、ＲＡＲグラントに対応するＰＵＳＣＨ送信、および、同じトランスポートブロックに対する該ＰＵＳＣＨ再送信のためにシングルアンテナポート送信方式を用いる。
【００５４】
Ｔｅｍｐｏｒａｒｙ  Ｃ−ＲＮＴＩは、ランダムアクセスメッセージ３の再送信、および、ランダムアクセスメッセージ４の送信をスケジュールするために用いられる。ランダムアクセスメッセージ３の初期送信は、ＲＡＲグラント（Random Access Response grant）によってスケジュールされる。
【００５５】
ハンドオーバコマンドは、ＨＯＣグラント（Handover Command grant）を含んでもよい。ＨＯＣグラントは、ＰＤＳＣＨで送信される上りリンクグラントである。端末装置１は、ＨＯＣグラントを第２の設定された上りリンクグラントとしてストアする。端末装置１のＭＡＣ層は、該第２の設定された上りリンクグラントが周期的に発生するとみなす。該第２の設定された上りリンクグラントが発生するとみなされるサブフレームは、第２の周期と第２のオフセットによって与えられる。ハンドオーバコマンドは、該第２の周期と該第２のオフセットを示す情報を含む。ハンドオーバコマンドは、該第１の周期を示す情報を含む。端末装置１は、ＨＯＣグラントに対応するＰＵＳＣＨ送信、および、同じトラン
スポートブロックに対する該ＰＵＳＣＨ再送信のためにシングルアンテナポート送信方式を用いてもよい。該周期的に割り当てられるＰＵＳＣＨで送信されたトランスポートブロックの再送信は、Ｃ−ＲＮＴＩによってスクランブルされたＣＲＣパリティビットが付加される上りリンクグラント、および／または、ＮＡＣＫによって指示されてもよい。該第２の設定された上りリンクグラントを、ＲＲＣ（Radio Resource Control）によって設定された上りリンクグラント、事前に割り当てられた上りリンクグラント（pre-allocated uplink grant）、または、第２の設定された上りリンクグラントとも称する。
【００５６】
すなわち、第１の周期に基づいて周期的に発生するとみなされる上りリンクグラント（第１の設定された上りリンクグラント）に対応するＰＵＳＣＨで送信されたトランスポートブロックの再送信のためにＳＰＳ  Ｃ−ＲＮＴＩが用いられ、且つ、第２の周期に基づいて周期的に発生するとみなされる上りリンクグラント（第２の設定された上りリンクグラント）に対応するＰＵＳＣＨで送信されたトランスポートブロックの再送信のためにＣ−ＲＮＴＩが用いられる。第１の周期および第２の周期は個別に設定される。
【００５７】
第１の周期および第１のオフセットに基づいて周期的に発生するとみなされる上りリンクグラント（第１の設定された上りリンクグラント）に対応するＰＵＳＣＨは、ＳＰＳ  Ｃ−ＲＮＴＩに少なくとも基づいて生成されるスクランブルシーケンスによってスクランブルされてもよい。第２の周期および第２のオフセットに基づいて周期的に発生するとみなされる上りリンクグラント（第２の設定された上りリンクグラント）に対応するＰＵＳＣＨは、Ｃ−ＲＮＴＩに少なくとも基づいて生成されるスクランブルシーケンスによってスクランブルされてもよい。
【００５８】
ＰＤＳＣＨは、下りリンクデータ（Downlink Shared Channel: DL-SCH）を送信するた
めに用いられる。ＰＤＳＣＨは、ランダムアクセスメッセージ２（ランダムアクセスレスポンス）を送信するために用いられる。ＰＤＳＣＨは、ハンドオーバコマンドを送信するために用いられる。
【００５９】
ＰＭＣＨは、マルチキャストデータ（Multicast Channel: MCH）を送信するために用いられる。
【００６０】
図１において、下りリンクの無線通信では、以下の下りリンク物理シグナルが用いられる。下りリンク物理シグナルは、上位層から出力された情報を送信するために使用されないが、物理層によって使用される。
・同期信号（Synchronization signal: SS）
・下りリンク参照信号（Downlink Reference Signal: DL RS）
同期信号は、端末装置１が下りリンクの周波数領域および時間領域の同期をとるために用いられる。同期信号は、ＰＳＳ（Primary Synchronization Signal）、および、ＳＳＳ（Second Synchronization Signal）を含む。
【００６１】
下りリンク参照信号は、端末装置１が下りリンク物理チャネルの伝搬路補正を行なうために用いられる。下りリンク参照信号は、端末装置１が下りリンクのチャネル状態情報を算出するために用いられる。
【００６２】
本実施形態において、以下の７つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
下りリンク物理チャネルおよび下りリンク物理シグナルを総称して、下りリンク信号と称する。上りリンク物理チャネルおよび上りリンク物理シグナルを総称して、上りリンク信号と称する。下りリンク物理チャネルおよび上りリンク物理チャネルを総称して、物理チャネルと称する。下りリンク物理シグナルおよび上りリンク物理シグナルを総称して、物理シグナルと称する。
【００６３】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックは
コードワードにマップされ、コードワード毎に符号化処理が行なわれる。
【００６４】
基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control
message、RRC information: Radio Resource Control informationとも称される）を送
受信してもよい。また、基地局装置３と端末装置１は、媒体アクセス制御（MAC: Medium Access Control）層において、ＭＡＣ  ＣＥ（Control Element）を送受信してもよい。
ここで、ＲＲＣシグナリング、および／または、ＭＡＣ  ＣＥを、上位層の信号（higher
layer signaling）とも称する。
【００６５】
ＰＵＳＣＨおよびＰＤＳＣＨは、ＲＲＣシグナリング、および、ＭＡＣ  ＣＥを送信するために用いられる。ここで、基地局装置３からＰＤＳＣＨで送信されるＲＲＣシグナリングは、セル内における複数の端末装置１に対して共通のシグナリングであってもよい。基地局装置３からＰＤＳＣＨで送信されるＲＲＣシグナリングは、ある端末装置１に対して専用のシグナリング（dedicated signalingまたはUE specific signalingとも称する）であってもよい。セルスペシフィックパラメータは、セル内における複数の端末装置１に対して共通のシグナリング、または、ある端末装置１に対して専用のシグナリングを用いて送信されてもよい。ＵＥスペシフィックパラメータは、ある端末装置１に対して専用のシグナリングを用いて送信されてもよい。
【００６６】
図４は、本実施形態におけるハンドオーバプロシージャの一例を示す図である。ハンドオーバプロシージャは、ＲＲＣによって実行される。
【００６７】
（ステップ４００）ターゲット基地局装置３Ｂは、ソース基地局装置３Ａにハンドオーバコマンドを送信する。ハンドオーバコマンドは、パラメータmobilityControlInfoを含
むパラメータRRCConnectionReconfigurationである。パラメータmobilityControlInfoは
、ターゲットセルのためのランダムアクセスプロシージャがスキップされることを示すスキップ情報（rach-skip）、ターゲットセルにおける送信タイミングに関するターゲット
ＴＡ情報（targetTA）、ＨＯＣグラント、ターゲットセルにおけるＣ−ＲＮＴＩを示すための情報、ターゲットセルにおけるＳＰＳ  Ｃ−ＲＮＴＩを示すための情報、第１の周期を示す情報、第２の周期および第２のオフセットを示す情報、および、ターゲットセルに関する情報を含んでもよい。ターゲットセルに関する情報は、ターゲットセルのＰＣＩ（
Physical layer Cell Identity）を示すための情報、ターゲットセルの周波数を示すための情報が含まれてもよい。当該スキップ情報は、ターゲットＴＡ情報を含んでもよい。当該スキップ情報をrach-Skipとも称する。ターゲットＴＡ情報をtargetTAとも称する。タ
ーゲットＴＡ情報によって示されるＮＴＡの値をＴＡＩ（Timing Adjustment Indication）とも称する。
【００６８】
ターゲットＴＡ情報（targetTA）は、ターゲットプライマリーセルのためのＮＴＡの値を示す。ＮＴＡの値は、ＰＵＳＣＨ／ＰＵＣＣＨ／ＳＲＳ／ＤＭＲＳの送信タイミングの調整のために用いられる。ターゲットプライマリーセルのためのＮＴＡの値は、ＭＣＧのターゲットプライマリーＴＡＧのためのＮＴＡの値であってもよい。ターゲットＴＡ情報（targetTA）は、ＭＣＧのターゲットプライマリーＴＡＧのためのＮＴＡの値が０であることを示してもよい。ターゲットＴＡ情報（targetTA）は、ＭＣＧのターゲットプライマリーＴＡＧのためのＮＴＡの値が、ＭＣＧのソースプライマリーＴＡＧのためのＮＴＡの値と同じであることを示してもよい。ここで、ターゲットプライマリーセルを含むプライマリーＴＡＧをターゲットプライマリーＴＡＧと称する。ここで、ソースプライマリーセルを含むプライマリーＴＡＧをソースプライマリーＴＡＧと称する。
【００６９】
（ステップ４０１）ソース基地局装置３Ａは、ＰＤＳＣＨを用いて、ソース基地局装置３Ａから受信したハンドオーバコマンドを、端末装置１に送信する。
【００７０】
（ステップ４０２）端末装置１のＲＲＣはＴ３０４タイマーをスタートする。次に、端末装置１は、ターゲットセルに関する情報に基づいて、ターゲットセルの下りリンク同期を取得する。端末装置１は、下りリンク同期の取得のために、ターゲットセルの同期信号、ターゲットセルのＣＲＳ、および、ターゲットセルのＰＢＣＨの一部、または、全部を用いてもよい。次に、端末装置１は、下りリンクとの同期を開始した後に、ターゲットＴＡ情報（targetTA）によって示されるＮＴＡの値を適用する。ここで、ＮＴＡの値は、ＭＡＣによって管理されてもよい。
【００７１】
（ステップ４０３）端末装置１は、ターゲットセルにおける最初のＰＵＳＣＨで上りリンクデータを送信する。スキップ情報（rach-Skip）が設定されており、且つ、第２の設
定された上りリンクグラントが存在する場合、該ターゲットセルにおける最初のＰＵＳＣＨは、第２の設定された上りリンクグラントに対応してもよい。当該上りリンクデータは、コンプリートメッセージ（RRCConnectionReconfigurationComplete message）を含んでもよい。ここで、該最初のＰＵＳＣＨ送信の送信タイミングは、ターゲットＴＡ情報（targetTA）に基づいて設定される。ここで、端末装置１のＲＲＣは、端末装置１の下位層（ＭＡＣ）に、送信するためのコンプリートメッセージを渡す。
【００７２】
（ステップ４０４）端末装置１は、ターゲットセルにおいて、所定の期間、ＨＯＣグラントに対応するＰＵＳＣＨ（上りリンクデータ）に対する応答の受信／復号を試みる。当該応答は、ハンドオーバコマンドによって示されたＣ−ＲＮＴＩを含むＰＤＣＣＨ／ＥＰＤＣＣＨであってもよい。
【００７３】
（ステップ４０５）端末装置１は、ステップ４０４における所定の期間において応答がなかった場合、第２の設定された上りリンクグラントに基づいて、ＰＵＳＣＨで上りリンクデータを送信する。当該上りリンクデータは、コンプリートメッセージ（RRCConnectionReconfigurationComplete message）を含んでもよい。
【００７４】
（ステップ４０６）端末装置１は、ステップ４０５のＰＵＳＣＨ送信に対する応答を検出する。スキップ情報（rach-Skip）が端末装置１に対して設定されており、且つ、当該
応答が受信された場合、端末装置１のＭＡＣは上位層（ＲＲＣ）に受信成功指示を渡して
もよい。当該受信成功指示は、ハンドオーバコマンドによって示されたＣ−ＲＮＴＩを含むＰＤＣＣＨ／ＥＰＤＣＣＨを受信したことを示してもよい。端末装置１のＲＲＣは、下位層（ＭＡＣ）から当該受信成功指示が提供された場合、Ｔ３０４タイマーをストップし、ハンドオーバに成功したとみなし、且つ、ハンドオーバプロシージャを終了してもよい。端末装置１のＲＲＣは、下位層（ＭＡＣ）から当該受信成功指示が提供された場合、スキップ情報（rach-Skip）、および／または、ターゲットＴＡ情報（targetTA）をリリー
スしてもよい。
【００７５】
（ステップ４０７）端末装置１は、ステップ４０６においてＮＡＣＫを検出した場合、ＨＯＣグラントに基づいて、ＰＵＳＣＨで上りリンクデータを再送信する。ＮＡＣＫに基づく再送信を、ｎｏｎ−ａｄａｐｔｉｖｅ再送信と称する。
【００７６】
（ステップ４０７）端末装置１は、ステップ４０６において再送信を指示する上りリンクグラントを含むＰＤＣＣＨ／ＥＰＤＣＣＨを検出した場合、当該上りリンクグラントに基づいて、ＰＵＳＣＨで上りリンクデータを再送信する。上りリンクグラントに基づく再送信を、ａｄａｐｔｉｖｅ再送信と称する。該上りリンクグラントに付加されるＣＲＣパリティビットは、Ｃ−ＲＮＴＩによってスクランブルされる。
【００７７】
端末装置１は、Ｔ３０４タイマーが満了した場合、ハンドオーバプロシージャが失敗したとみなしてもよい。
【００７８】
端末装置１は、ＭＣＧのために１つのＭＡＣエンティティを持つ。ＤＣが設定される端末装置１は、ＭＣＧのための１つのＭＡＣエンティティ、および、ＳＣＧのために１つのＭＡＣエンティティを持つ。ＭＡＣエンティティは、ＭＡＣの処理を実行する。以下、ＭＣＧのＭＡＣエンティティの処理について説明する。本発明をＳＣＧのＭＡＣエンティティに対して適用してもよい。その場合、プライマリーセルは、プライマリーセカンダリーセルに置き換えられてもよい。以下、端末装置１のＭＡＣエンティティを、単にＭＡＣエンティティと称する。
【００７９】
図５は、本実施形態における端末装置１のＭＡＣエンティティにおけるＭＡＣの処理の一例を示す図である。図５はＭＡＣの処理に関連する疑似コードを示す。
【００８０】
（５００）ＭＡＣエンティティがＣ−ＲＮＴＩを持っている場合、サービングセルのそれぞれのために、且つ、ＭＡＣエンティティがＰＤＣＣＨをモニタする期間のサブフレームのそれぞれのために、ＭＡＣエンティティは、処理（５０１）を実行する。
【００８１】
（５０１）ＭＡＣエンティティに対してスキップ情報（rach-Skip）が設定されており
、且つ、プライマリーセルのＰＤＣＣＨにおいて、このサブフレームのための下りリンク制御情報が受信されたならば、ＭＡＣエンティティは、上位層（ＲＲＣ）に受信成功指示を提供する（５０２）。ここで、プライマリーセルのＰＤＣＣＨは、Ｃ−ＲＮＴＩ宛てのＰＤＣＣＨである。
【００８２】
図６は、本実施形態における端末装置１のＲＲＣの処理の一例を示す図である。図６はＲＲＣの処理（ハンドオーバプロシージャ）に関連する疑似コードを示す。
【００８３】
（６００）受信したRRCConnectionReconfigurationメッセージがmobilityControlInfo
を含み、且つ、端末装置１がRRCConnectionReconfigurationメッセージに含まれる設定に従うことができる場合（６００）、端末装置１は、処理（６０１）から処理（６０９）を実行する。処理（６０１）から処理（６０９）は、処理（６０１）から順番に実行されてもよい。
【００８４】
（６０１）端末装置１はＴ３０４タイマーをスタートする。
【００８５】
（６０２）端末装置１はターゲットプライマリーセルの下りリンクとの同期を開始する。
【００８６】
（６０３）受信したRRCConnectionReconfigurationメッセージが、スキップ情報（rach-Skip）を含む場合、処理（６０４）または処理（６０５）を実行してもよい。
【００８７】
（６０４）端末装置１は、ターゲットＴＡ情報（targetTA）によって示される、ＭＣＧのターゲットプライマリーＴＡＧのためのＮＴＡの値(timing adjustment indication)を適用する。
【００８８】
（６０５）端末装置１は、ターゲットＴＡ情報（targetTA）によって示される、ＭＣＧのターゲットプライマリーＴＡＧのためのＮＴＡの値(timing adjustment indication)を下位層（ＭＡＣ）に渡す。
【００８９】
（６０６）端末装置１は、送信するためのコンプリートメッセージ（RRCConnectionReconfigurationComplete message）を下位層（ＭＡＣ）に渡す。
【００９０】
（６０７）受信成功指示が下位層（ＭＡＣ）から提供された場合、端末装置１は、Ｔ３０４タイマーをストップし（６０８）、スキップ情報（rach-Skip）をリリースする（６
０９）。ここで、スキップ情報（rach-Skip）は、ターゲットＴＡ情報（targetTA）を含
んでもよい。
【００９１】
端末装置１は、ＴＡ（Timing Advance）コマンドを含むＭＡＣ  ＣＥ（control element）を受信する。端末装置１は、ＭＡＣ ＣＥに含まれるＴＡコマンドによって示されるＴＡの値に基づいてＮＴＡの値を調整する。例えば、古いＮＴＡの値およびＴＡの値に基づいて、新しいＮＴＡの値が与えられてもよい。ＴＡコマンドを含むＭＡＣ  ＣＥを、ＴＡコマンドＭＡＣ  ＣＥとも称する。ＴＡコマンドＭＡＣ  ＣＥは、ＴＡコマンドＭＡＣ  ＣＥが対応するＴＡＧを示す情報が含まれる。ＴＡＧを示す情報は、プライマリーＴＡＧ、または、セカンダリーＴＡＧを示してもよい。ＴＡＧを示す情報は、ＴＡＧ識別子を示してもよい。ＴＡＧ識別子０は、プライマリーＴＡＧに対応してもよい。ＴＡＧ識別子１は、セカンダリーＴＡＧに対応してもよい。
【００９２】
以下、ＴＡ（Time Alignment）タイマーについて説明する。
【００９３】
ＭＡＣエンティティは、ＴＡタイマーとＮＴＡの値を管理する。ＭＡＣエンティティは、ＴＡＧ毎に、１つのＴＡタイマー、および、１つのＮＴＡの値を管理する。図７は、本実施形態におけるＴＡタイマーに関連するＭＡＣの処理の一例を示す図である。図７はＴＡタイマーの処理に関連する疑似コードを示す。図７において、処理（Ａ１）から処理（Ａ１２）は、処理（Ａ１）から順番に実行されてもよい。
【００９４】
ＭＡＣエンティティは、（Ａ１）スキップ情報（rach-Skip）が受信された時、（Ａ２
）スキップ情報（rach-Skip）がＲＲＣによって設定された時、または、（Ａ３）ターゲ
ットＴＡ情報（targetTA）によって示されるＮＴＡの値（ＴＡＩ）がプライマリーＴＡＧに対して適用される時に、（Ａ４）プライマリーＴＡＧに関連するＴＡタイマーをスタートしてもよい。ここで、プライマリーＴＡＧは、ＭＣＧのターゲットプライマリーＴＡＧである。本実施形態において、（Ａ１）から（Ａ３）の一部のみが適用されてもよい。例えば、（Ａ１）から（Ａ３）のうち、（Ａ３）のみが適用されてもよい。
【００９５】
ＭＡＣエンティティは、（Ａ５）ターゲットＴＡ情報（targetTA）によって示されるＮＴＡの値（ＴＡＩ）がＲＲＣによって示された時に、（Ａ６）プライマリーＴＡＧに対して当該ＮＴＡの値（ＴＡＩ）を適用し、且つ、（Ａ７）プライマリーＴＡＧに関連するＴＡタイマーをスタートしてもよい。ここで、プライマリーＴＡＧは、ＭＣＧのターゲットプライマリーＴＡＧである。本実施形態において、（Ａ５）から（Ａ７）が適用される場合、（Ａ１）から（Ａ４）は適用されなくてもよい。
【００９６】
ＭＡＣエンティティは、（Ａ８）スキップ情報（rach-Skip）がＲＲＣによってリリー
スされた時に、（Ａ９）プライマリーＴＡＧに関連するＴＡタイマーをスタートしてもよい。ここで、プライマリーＴＡＧは、ＭＣＧのターゲットプライマリーＴＡＧである。
【００９７】
ＭＡＣエンティティは、（Ａ１０）ＴＡコマンドＭＡＣ  ＣＥが受信された時に、（Ａ１１）ＴＡコマンドＭＡＣ  ＣＥに含まれるＴＡＧを示す情報によって示されたＴＡＧに対して、ＴＡコマンドＭＡＣ  ＣＥに含まれるＴＡコマンドを適用し、（Ａ１２）ＴＡコマンドＭＡＣ  ＣＥに含まれるＴＡＧを示す情報によって示されたＴＡＧに関連するＴＡタイマーをスタート、または、再スタートする。
【００９８】
本実施形態において、タイマーが一度スタートされると、タイマーがストップされるまで、または、タイマーが満了するまで、タイマーがランニングしている。それ以外の場合、タイマーはランニングしていない。
【００９９】
図８は、本実施形態におけるＭＡＣにおけるＴＡタイマーに関連するＭＡＣの処理の別の一例を示す図である。図８はＴＡタイマーの処理に関連する疑似コード（Ｂ１）から（Ｂ７）を示す。本実施形態において、（Ｂ２）および（Ｂ３）の何れか一方のみが適用されてもよい。本実施形態において、（Ｂ４）が適用される場合、（Ａ１）から（Ａ９）は適用されなくてもよい。本実施形態において、（Ｂ４）が適用される場合、（Ｂ３）は適用されなくてもよい。
【０１００】
（Ｂ１）サービングセルが属するＴＡＧに関連するＴＡタイマーがランニングしていない時、ＭＡＣエンティティは、当該サービングセルにおいて、ランダムアクセスプリアンブルの送信を除いて、何れの上りリンク送信も実行しない。ランダムアクセスプリアンブル送信を除く上りリンク送信は、ＰＵＳＣＨ／ＰＵＣＣＨ／ＳＲＳ／ＤＭＲＳの送信を含んでもよい。ランダムアクセスプリアンブル送信は、ＰＲＡＣＨ送信であってもよい。
【０１０１】
（Ｂ２）プライマリーＴＡＧに関連するＴＡタイマーがランニングしていない時、ＭＡＣエンティティは、プライマリーセルにおけるランダムアクセスプリアンブルの送信を除いて、何れのサービングセルにおいても上りリンク送信を実行しない。プライマリーセルにおけるランダムアクセスプリアンブル送信を除く上りリンク送信は、プライマリーセルおよびセカンダリーセルにおけるＰＵＳＣＨ／ＰＵＣＣＨ／ＳＲＳ／ＤＭＲＳの送信、および、セカンダリーセルにおけるランダムアクセスプリアンブル送信を含んでもよい。
【０１０２】
（Ｂ３）スキップ情報（rach-skip）が設定されている場合を除いてプライマリーＴＡ
Ｇに関連するＴＡタイマーがランニングしていない時、ＭＡＣエンティティは、プライマリーセルにおけるランダムアクセスプリアンブルの送信を除いて、何れのサービングセルにおいても上りリンク送信を実行しない。すなわち、スキップ情報（rach-skip）が設定
されておらず、且つ、プライマリーＴＡＧに関連するＴＡタイマーがランニングしていない時、ＭＡＣエンティティは、プライマリーセルにおけるランダムアクセスプリアンブルの送信を除いて、何れのサービングセルにおいても上りリンク送信を実行しない。すなわち、スキップ情報（rach-skip）が設定されている場合、プライマリーＴＡＧに関連する
ＴＡタイマーがランニングしていなかったとしても、ＭＡＣエンティティは、プライマリーセルにおいてコンプリートメッセージ（RRCConnectionReconfigurationComplete message）を含む上りリンク送信を実行してもよい。
【０１０３】
（Ｂ４）スキップ情報（rach-skip）が設定されている場合、ＭＡＣエンティティはプ
ライマリーＴＡＧに関連するＴＡタイマーがランニングしているとみなしてもよい。すなわち、スキップ情報（rach-skip）が設定されている場合、ＭＡＣエンティティは、プラ
イマリーＴＡＧに関連するＴＡタイマーがランニングしているとみなし、且つ、プライマリーセルにおいてコンプリートメッセージ（RRCConnectionReconfigurationComplete message）を含む上りリンク送信を実行してもよい。
【０１０４】
（Ｂ５）ＭＡＣエンティティは、ＴＡタイマーが満了したとしても、関連するＮＴＡの値をストアまたは管理する。
【０１０５】
（Ｂ６）ＭＡＣエンティティは、プライマリーＴＡＧのためのＮＴＡの値を示すターゲットＴＡ情報（targetTA）を含むスキップ情報（rach-skip）がリリースされたとしても
、プライマリーＴＡＧのためのＮＴＡの値をストアまたは管理する。
【０１０６】
（Ｂ７）ＭＡＣエンティティは、ＴＡタイマーがランニングしていなかったとしても、または、プライマリーＴＡＧのためのＮＴＡの値を示すターゲットＴＡ情報（targetTA）がリリースされていたとしても、受信したＴＡコマンドＭＡＣ  ＣＥに含まれるＴＡコマンドを、保持または管理しているＮＴＡの値に対して適用し、且つ、関連するＴＡタイマーをスタートする。
【０１０７】
受信したRRCConnectionReconfigurationメッセージが、スキップ情報（rach-Skip）を
含まず、且つ、ランダムアクセスプリアンブルのインデックスを示すプリアンブル情報を含む場合、端末装置１は、ＲＲＣから送信するためのコンプリートメッセージ（RRCConnectionReconfigurationComplete message）を受け取った後に、ターゲットプライマリーセルにおいてランダムアクセスプロシージャを開始する。ランダムアクセスプロシージャにおいて、端末装置１は、プリアンブル情報に基づいて、ランダムアクセスプリアンブルを送信する。すなわち、ランダムアクセスプリアンブルは端末装置１によって選択されていない。ランダムアクセスプロシージャにおいて、端末装置１は、ターゲットプライマリーセルのためのランダムアクセスレスポンスを受信する。ランダムアクセスレスポンスはＴＡコマンドを含む。
【０１０８】
ターゲットプライマリーセルのためのランダムアクセスレスポンスに含まれるＴＡコマンドを受信し、且つ、ランダムアクセスプリアンブルが端末装置１によって選択されていない場合、端末装置１(ＭＡＣエンティティ)は、ターゲットプライマリーＴＡＧに対して当該ＴＡコマンドを適用し、且つ、ターゲットプライマリーＴＡＧに関連するＴＡタイマーをスタートする。端末装置１は、当該ＴＡタイマーがランニングしている間に、ＰＵＳＣＨを用いてコンプリートメッセージ（RRCConnectionReconfigurationComplete message）を送信してもよい。ここで、当該ＰＵＳＣＨのリソースは、ランダムアクセスレスポンスに含まれる上りリンクグラントによって割り当てられてもよい。
【０１０９】
これにより、端末装置１は上りリンクの送信を効率的に行うことができる。
【０１１０】
以下、本実施形態における装置の構成について説明する。
【０１１１】
図９は、本実施形態の端末装置１の構成を示す概略ブロック図である。図示するように、端末装置１は、無線送受信部１０、および、上位層処理部１４を含んで構成される。無
線送受信部１０は、アンテナ部１１、ＲＦ（Radio Frequency）部１２、および、ベース
バンド部１３を含んで構成される。上位層処理部１４は、媒体アクセス制御層処理部１５、および、無線リソース制御層処理部１６を含んで構成される。無線送受信部１０を送信部、受信部、または、物理層処理部とも称する。
【０１１２】
上位層処理部１４は、ユーザの操作等により生成された上りリンクデータ（トランスポートブロック）を、無線送受信部１０に出力する。上位層処理部１４は、媒体アクセス制御（MAC: Medium Access Control）層、パケットデータ統合プロトコル（Packet Data Convergence Protocol: PDCP）層、無線リンク制御（Radio Link Control: RLC）層、無線
リソース制御（Radio Resource Control: RRC）層の処理を行なう。
【０１１３】
上位層処理部１４が備える媒体アクセス制御層処理部１５は、媒体アクセス制御層の処理を行う。媒体アクセス制御層処理部１５は、無線リソース制御層処理部１６によって管理されている各種設定情報／パラメータに基づいて、スケジューリングリクエストの伝送の制御を行う。
【０１１４】
上位層処理部１４が備える無線リソース制御層処理部１６は、無線リソース制御層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。
【０１１５】
無線送受信部１０は、変調、復調、符号化、復号化などの物理層の処理を行う。無線送受信部１０は、基地局装置３から受信した信号を、分離、復調、復号し、復号した情報を上位層処理部１４に出力する。無線送受信部１０は、データを変調、符号化することによって送信信号を生成し、基地局装置３に送信する。
【０１１６】
ＲＦ部１２は、アンテナ部１１を介して受信した信号を、直交復調によりベースバンド信号に変換し（ダウンコンバート: down covert）、不要な周波数成分を除去する。ＲＦ
部１２は、処理をしたアナログ信号をベースバンド部に出力する。
【０１１７】
ベースバンド部１３は、ＲＦ部１２から入力されたアナログ信号を、アナログ信号をディジタル信号に変換する。ベースバンド部１３は、変換したディジタル信号からＣＰ（Cyclic Prefix）に相当する部分を除去し、ＣＰを除去した信号に対して高速フーリエ変換
（Fast Fourier Transform: FFT）を行い、周波数領域の信号を抽出する。
【０１１８】
ベースバンド部１３は、データを逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換する。ベースバンド部１３は、変換したアナログ信号をＲＦ部１２に出力する。
【０１１９】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１２０】
図１０は、本実施形態のターゲット基地局装置３Ｂの構成を示す概略ブロック図である
。図示するように、ターゲット基地局装置３Ｂは、無線送受信部３０、および、上位層処理部３４を含んで構成される。無線送受信部３０は、アンテナ部３１、ＲＦ部３２、および、ベースバンド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。ソース基地局装置３Ａの構成は、ターゲット基地局装置３Ｂの構成と同じでもよい。
【０１２１】
上位層処理部３４は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１２２】
上位層処理部３４が備える媒体アクセス制御層処理部３５は、媒体アクセス制御層の処理を行う。媒体アクセス制御層処理部３５は、無線リソース制御層処理部３６によって管理されている各種設定情報／パラメータに基づいて、スケジューリングリクエストに関する処理を行う。上位層処理部３４は他の基地局装置、および、ＭＭＥ／ＧＷ３Ｃに情報を送信してもよい。上位層処理部３４は他の基地局装置、および、ＭＭＥ／ＧＷ３Ｃから情報を受信してもよい。
【０１２３】
上位層処理部３４が備える無線リソース制御層処理部３６は、無線リソース制御層の処理を行う。無線リソース制御層処理部３６は、物理下りリンク共用チャネルに配置される下りリンクデータ（トランスポートブロック）、システムインフォメーション、ＲＲＣメッセージ、ＭＡＣ  ＣＥ（Control Element）などを生成し、又は上位ノードから取得し
、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。
【０１２４】
無線送受信部３０の機能は、無線送受信部１０と同様であるため説明を省略する。
【０１２５】
端末装置１が備える符号１０から符号１６が付された部のそれぞれは、回路として構成されてもよい。基地局装置３が備える符号３０から符号３６が付された部のそれぞれは、回路として構成されてもよい。
【０１２６】
以下、本実施形態における、端末装置１の種々の態様について説明する。
【０１２７】
（１）本実施形態の第１の態様は、端末装置１であって、ハンドオーバコマンドを受信する受信部１０と、前記ハンドオーバコマンドが受信され、かつ、前記ハンドオーバコマンドがターゲットプライマリーセルのためのランダムアクセスプロシージャがスキップされることを示すスキップ情報（rach-Skip）を含む場合、前記ターゲットプライマリーセ
ルの下りリンクとの同期が開始された後に、前記スキップ情報（rach-Skip）に含まれる
ターゲットＴＡ情報（targetTA）によって示されるＮＴＡの値をターゲットプライマリーＴＡＧ（Timing Advance Group）に対して適用し、且つ、前記ターゲットプライマリーＴＡＧに関連するＴＡ（Time alignment）タイマーをスタートする上位層処理部１４と、を備える。
【０１２８】
（２）本実施形態の第１の態様において、前記上位層処理部１４は、前記ターゲットＴＡ情報（targetTA）を含む前記スキップ情報（rach-Skip）がリリースされたとしても、
前記ＮＴＡの値をストアまたは保持する。
【０１２９】
（３）本実施形態の第２の態様は、端末装置１であって、ターゲットプライマリーセルのためのランダムアクセスプロシージャがスキップされることを示すスキップ情報（rach-Skip）を含むハンドオーバコマンドを受信する受信部１０と、前記スキップ情報（rach-Skip）が設定されている場合、ＴＡ（Time alignment）タイマーがランニングしているとみなす上位層処理部１４と、を備える。
【０１３０】
（４）本実施形態の第３の態様は、端末装置１であって、ターゲットプライマリーセルのためのランダムアクセスプロシージャがスキップされることを示すスキップ情報（rach-Skip）を含むハンドオーバコマンドを受信する受信部１０と、上りリンクの送信を実行
する送信部１０と、を備え、前記送信部１０は、前記スキップ情報（rach-Skip）が設定
されている場合を除いて、プライマリーＴＡＧ（Timing Advance Group）に関連するＴＡ（Time alignment）タイマーがランニングしていない時、プライマリーセルにおけるランダムアクセスプリアンブルの送信を除いて、何れのサービングセルにおいても上りリンク送信を実行せず、前記プライマリーセルは、前記ターゲットプライマリーセルを含む。
【０１３１】
これにより、端末装置および基地局装置が互いに、効率的に通信をすることができる。
【０１３２】
本発明に関わる基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１３３】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１３４】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１３５】
尚、上述した実施形態における装置の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現してもよい。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであってもよい。
【０１３６】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含
んでもよい。また上記プログラムは、前述した機能の一部を実現するためのものであってもよく、さらに前述した機能をコンピュータシステムにすでに記録されているプログラムとの組み合わせで実現できるものであってもよい。
【０１３７】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントローラ、マイクロコントローラ、またはステートマシンであってもよい。汎用用途プロセッサ、または前述した各回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１３８】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１３９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１４０】
１（１Ａ、１Ｂ、１Ｃ）  端末装置
３  基地局装置
１０  無線送受信部
１１  アンテナ部
１２  ＲＦ部
１３  ベースバンド部
１４  上位層処理部
１５  媒体アクセス制御層処理部
１６  無線リソース制御層処理部
３０  無線送受信部
３１  アンテナ部
３２  ＲＦ部
３３  ベースバンド部
３４  上位層処理部
３５  媒体アクセス制御層処理部
３６  無線リソース制御層処理部
【図１】
2020025152.tif 000003
【図２】
2020025152.tif 000004
【図３】
2020025152.tif 000005
【図４】
2020025152.tif 000006
【図５】
2020025152.tif 000007
【図６】
2020025152.tif 000008
【図７】
2020025152.tif 000009
【図８】
2020025152.tif 000010
【図９】
2020025152.tif 000011
【図１０】
2020025152.tif 000012